(57)【要約】【課題】処置具挿通チャンネルの入口からの汚液漏れを確実に防止すると共に、使用後には各部を容易かつ確実に洗浄消毒することができて、優れた耐久性を有する内視鏡の鉗子栓を提供すること。【解決手段】樽状部材１１内の処置具１００が通る空間には、蓋状部材１２が樽状部材１１に取り付けられたとき閉鎖膜１４の裏面壁に当接してスリット１５を塞いだ状態になる舌片２０のみが樽状部材１１の内壁から内方に向かって突出形成され、舌片２０は、蓋状部材１２が樽状部材１１に取り付けられると閉鎖膜１４の裏面壁により一端（２１）側を支点に押し下げられ、処置具１００がスリット１５を通って通過することによりさらに押し退けられた状態になるようにした。【選択図】      図１
2006230429.tif 000002
【特許請求の範囲】
【請求項１】
底部側が内視鏡の処置具挿通チャンネルの入口部分に連通する状態に取り付けられる弾力性のある材料からなる樽状部材と、上記樽状部材の頭部側に係脱自在な弾力性のある材料からなる蓋状部材とが設けられ、処置具が通されることにより弾性変形して押し広げられるスリットを有する閉鎖膜が上記蓋状部材に形成された内視鏡の鉗子栓において、
上記樽状部材内の処置具が通る空間には、上記蓋状部材が上記樽状部材に取り付けられたとき上記閉鎖膜の裏面壁に当接して上記スリットを塞いだ状態になる舌片のみが上記樽状部材の内壁から内方に向かって突出形成され、
上記舌片は、上記蓋状部材が上記樽状部材に取り付けられると上記閉鎖膜の裏面壁により一端側を支点に押し下げられ、処置具が上記スリットを通って通過することによりさらに押し退けられた状態になることを特徴とする内視鏡の鉗子栓。
【発明の詳細な説明】
【技術分野】
【０００１】
この発明は内視鏡の鉗子栓に関する。
【背景技術】
【０００２】
内視鏡の鉗子栓は一般に、内視鏡の処置具挿通チャンネルの入口部分に着脱自在に設けられたゴム製の部材であり、処置具不使用時と使用時の双方の状態において処置具挿通チャンネルを通じて体内の汚液が噴出して周囲を汚染しないようにするために、処置具が通されることにより弾性変形して押し広げられるスリットを有する第１の閉鎖膜と、処置具が通されることにより弾性変形して押し広げられる開口を有する第２の閉鎖膜とが二重に配置されている。
【０００３】
そして、スリットを通過できないような太径の処置具を使用する際等には、第１の閉鎖膜を外して第２の閉鎖膜の開口だけに処置具を通すことができるように、第１の閉鎖膜は、第２の閉鎖膜が形成された樽状部材に対して着脱自在な蓋状部材に形成されている（例えば、特許文献１）。
【０００４】
しかし、そのような第１の閉鎖膜が形成された蓋状部材が樽状部材から取り外された状態では、処置具が通されていない時に第２の閉鎖膜に形成されている開口から体内汚液等が漏れ出し易いという問題がある。
【０００５】
そこで、処置具が通されることにより弾性変形して一端側を支点に押し下げられる舌片を第２の閉鎖膜の裏面に面する状態に配置して、処置具不使用時に処置具挿通チャンネル内の圧力が高まった時は、その圧力で舌片が閉鎖膜の裏面に押し付けられて開口部分が裏側から塞がれるようにすることも考えられる（例えば、特許文献２）。
【特許文献１】特開２００１−２１８７３２
【特許文献２】実公平５−１５２８２
【発明の開示】
【発明が解決しようとする課題】
【０００６】
内視鏡検査が終わると、一症例毎に、内視鏡本体だけでなく鉗子栓等も完全に洗浄消毒を行う必要があり、特許文献２に記載された鉗子栓の場合は、舌片と閉鎖膜との間の部分が汚れたままにならないように注意する必要がある。
【０００７】
しかし、特許文献２に記載された鉗子栓で舌片と閉鎖膜との間の部分を洗浄するためには、舌片を根元側（支点側）から大きく折り曲げて閉鎖膜との間に十分な隙間を作らなければならないので、舌片の根元部分に短期に割れが発生して鉗子栓を新品に交換しなければならなくなってしまう。                                                          
【０００８】
そこで本発明は、処置具挿通チャンネルの入口からの汚液漏れを確実に防止すると共に、使用後には各部を容易かつ確実に洗浄消毒することができて、優れた耐久性を有する内視鏡の鉗子栓を提供することを目的とする。
【課題を解決するための手段】
【０００９】
上記の目的を達成するため、本発明の内視鏡の鉗子栓は、底部側が内視鏡の処置具挿通チャンネルの入口部分に連通する状態に取り付けられる弾力性のある材料からなる樽状部材と、樽状部材の頭部側に係脱自在な弾力性のある材料からなる蓋状部材とが設けられ、処置具が通されることにより弾性変形して押し広げられるスリットを有する閉鎖膜が蓋状部材に形成された内視鏡の鉗子栓において、樽状部材内の処置具が通る空間には、蓋状部材が樽状部材に取り付けられたとき閉鎖膜の裏面壁に当接してスリットを塞いだ状態になる舌片のみが樽状部材の内壁から内方に向かって突出形成され、舌片は、蓋状部材が樽状部材に取り付けられると閉鎖膜の裏面壁により一端側を支点に押し下げられ、処置具がスリットを通って通過することによりさらに押し退けられた状態になるようにしたものである。
【発明の効果】
【００１０】
本発明によれば、蓋状部材が樽状部材に取り付けられると閉鎖膜の裏面壁により舌片が一端側を支点に押し下げられて閉鎖膜の裏面壁に当接してスリットを塞いだ状態になるので、処置具挿通チャンネル入口からの汚液漏れを確実に防止することができると共に、樽状部材内の処置具が通る空間には舌片のみしか形成されていないので、使用後には蓋状部材を樽状部材から取り外すことにより閉鎖膜と舌片を含め各部を容易かつ確実に洗浄消毒することができ、その際に舌片を折り曲げたりする必要がないので耐久性も優れている。
【発明を実施するための最良の形態】
【００１１】
底部側が内視鏡の処置具挿通チャンネルの入口部分に連通する状態に取り付けられる弾力性のある材料からなる樽状部材と、樽状部材の頭部側に係脱自在な弾力性のある材料からなる蓋状部材とが設けられ、処置具が通されることにより弾性変形して押し広げられるスリットを有する閉鎖膜が蓋状部材に形成された内視鏡の鉗子栓において、樽状部材内の処置具が通る空間には、蓋状部材が樽状部材に取り付けられたとき閉鎖膜の裏面壁に当接してスリットを塞いだ状態になる舌片のみが樽状部材の内壁から内方に向かって突出形成され、舌片は、蓋状部材が樽状部材に取り付けられると閉鎖膜の裏面壁により一端側を支点に押し下げられ、処置具がスリットを通って通過することによりさらに押し退けられた状態になるようにする。
【実施例】
【００１２】
図面を参照して本発明の実施例を説明する。
図２において、１は、可撓管によって外装された内視鏡の挿入部であり、その基端が操作部２の下端に連結されている。
【００１３】
挿入部１内に挿通配置された処置具挿通チャンネル３の先端は挿入部１の先端において外部に開口し、処置具挿通チャンネル３の入口部分に取り付けられた鉗子栓１０が、操作部２の下端部分から斜め上方に突出する状態に配置されている。
【００１４】
鉗子栓１０は、処置具挿通チャンネル３の入口部分に着脱自在に取り付けられる弾力性のある材料からなる樽状部材１１と、樽状部材１１に対して係脱自在な弾力性のある材料からなる蓋状部材１２とにより構成されており、図２には、蓋状部材１２が樽状部材１１から外された状態が示されている。
【００１５】
図１は、処置具挿通チャンネル３の入口端部に設けられた処置具挿入口金３０に対して鉗子栓１０が取り付けられた状態を示しており、処置具挿入口金３０は、処置具挿通チャンネル３に連通して操作部２の外壁面から突出した状態に配置されている。
【００１６】
鉗子栓１０は、弾力性のあるゴム材によって形成された無底状の樽状部材１１の頭部側に、やはり弾力性のあるゴム材によって形成された蓋状部材１２を着脱自在に取り付けて、その二部品だけで構成されている。
【００１７】
樽状部材１１の底部側位置の内径部分には小径部１３が形成されており、小径部１３を弾性変形させて処置具挿入口金３０に形成されている括れ部３１に係合させることにより、樽状部材１１が処置具挿入口金３０に取り付けられて処置具挿通チャンネル３と連通する状態になり、その状態から力を加えて樽状部材１１を弾性変形させることにより、小径部１３と括れ部３１との係合を外して、樽状部材１１を処置具挿入口金３０から取り外すことができる。
【００１８】
蓋状部材１２の中央部分は内方に向かって窪んだ形状に形成されていて、その底面部分が閉鎖膜１４になっており、その閉鎖膜１４の中央部分に「−」状のスリット１５が形成されている。
【００１９】
スリット１５は、通常は自己の弾力性によって閉じた状態を維持して処置具挿通チャンネル３内と外部との間をシールしており、処置具挿通チャンネル３に挿脱される処置具等により弾力的に押し広げられた状態に弾性変形する。
【００２０】
そのような閉鎖膜１４部分から外径方向に間隔をあけて周囲を囲む状態に蓋状部材１２に形成された円周壁部には、弾性変形させることにより、樽状部材１１の上端近傍の外周面に形成された円周溝１６に係脱自在な内方突起１７が形成されている。
【００２１】
したがって、円周溝１６と内方突起１７との係合を外すことにより、図３に示されるように、蓋状部材１２を樽状部材１１から取り外すことができる。ただし、蓋状部材１２から一体的に延出形成された連結ベルト１８が樽状部材１１の下端付近に常に連結されているので、樽状部材１１と蓋状部材１２が完全に分離してしまう訳ではない。
【００２２】
蓋状部材１２が樽状部材１１に取り付けられた状態の時に蓋状部材１２の閉鎖膜１４の裏面に面する位置には、舌片２０が、樽状部材１１の内周壁から内方に向かって突出形成されている。舌片２０は、図３におけるIV−IV断面を図示する図４に示されるように、その一端側に形成されたつながり部２１においてのみ樽状部材１１と片持状態でつながっている。
【００２３】
舌片２０は、図３に示されるように、樽状部材１１に蓋状部材１２が取り付けられていない無負荷の状態では、つながり部２１側に比べてその逆側の自由端側が頭部寄りに位置するようにやや斜めに傾いて形成されている。
【００２４】
図１に示されるように、樽状部材１１の頭部に蓋状部材１２が取り付けられると、舌片２０に閉鎖膜１４の裏面壁が全面で当接して、舌片２０がスリット１５を塞いだ状態でつながり部２１側を支点に樽状部材１１の内方に弾力的に押し下げられた状態になる。
【００２５】
そしてこの状態では、つながり部２１が弾性変形しているので、その弾力により舌片２０が閉鎖膜１４の裏面壁に押し付けられた状態に密着し、スリット１５が処置具挿通チャンネル３側から舌片２０で塞がれた状態になっている。
【００２６】
したがって、スリット１５自体の閉じ状態の密着性が不十分であっても処置具挿通チャンネル３内からの汚液漏れ等が発生せず、処置具挿通チャンネル３内の圧力がゲップなどにより高まれば舌片２０が閉鎖膜１４の裏面壁にさらに強く押し付けられて、汚液漏れが発生しない。
【００２７】
処置具１００を処置具挿通チャンネル３に挿通する際には、図５に示されるように、処置具１００の通過によってスリット１５が押し広げられた状態に弾性変形することで汚液漏れが防止される。
【００２８】
そして、舌片２０はスリット１５を通過した処置具１００によってさらにつながり部２１を支点に押し退けられた状態に弾性変形し、鉗子栓１０から処置具１００を引き出せば、舌片２０が閉鎖膜１４の裏面壁に密接する図１に示される状態に戻る。
【００２９】
そのような鉗子栓１０の樽状部材１１内の処置具１００が通る空間には、舌片２０以外の閉鎖膜の類は設けられていない。したがって、内視鏡検査が終了して鉗子栓１０を洗浄消毒等する際には、図６に示されるように、内視鏡の処置具挿入口金３０から鉗子栓１０を取り外して、蓋状部材１２を樽状部材１１の頭部から外した状態にすることにより、蓋状部材１２側の閉鎖膜１４を容易に洗浄消毒することができるだけでなく、樽状部材１１の内部側も舌片２０を折り曲げたりすることなく表裏両面から容易に洗浄消毒することができ、鉗子栓１０の各部を極めて容易に洗浄消毒することができる。
【図面の簡単な説明】
【００３０】
【図１】本発明の実施例の内視鏡の鉗子栓が内視鏡に取り付けられた状態の側面断面図である。
【図２】本発明の実施例の内視鏡の全体構成を示す側面図である。
【図３】本発明の実施例の内視鏡の鉗子栓の蓋状部材が樽状部材から外された状態の側面断面図である。
【図４】本発明の実施例の内視鏡の鉗子栓の図３におけるIV−IV断面図である。
【図５】本発明の実施例の内視鏡の鉗子栓に処置具が差し込まれた状態の側面断面図である。
【図６】本発明の実施例の内視鏡の鉗子栓が内視鏡から取り外されて洗浄される状態の側面断面図である。
【符号の説明】
【００３１】
３  処置具挿通チャンネル
１０  鉗子栓
１１  樽状部材
１２  蓋状部材
１４  閉鎖膜
１５  スリット
２０  舌片
２１  つながり部
１００  処置具
【図１】
2006230429.tif 000003
【図２】
2006230429.tif 000004
【図３】
2006230429.tif 000005
【図４】
2006230429.tif 000006
【図５】
2006230429.tif 000007
【図６】
2006230429.tif 000008